(57)【特許請求の範囲】
【請求項１】
被検眼を観察する観察光学系と、前記観察光学系によって観察される前記被検眼の画像を表示する画像表示部とを備え、前記被検眼を撮影する撮影機器が取り付けられる眼科撮影装置であって、
眼科撮影装置本体の内部に、前記撮影機器によって撮影された画像を受信して前記画像表示部に表示させる画像制御部としてのボードＰＣと、前記画像制御部から前記画像を受信して一時的に記録する画像中継部とを備え、外部に接続された印刷装置又は外部記録装置を備え、
通信の際には、前記眼科撮影装置本体がホスト・デバイスとなり、前記印刷装置又は前記外部記録装置はホストとなって、ユニバーサル・シリアル・バスによって前記画像が送信されることを特徴とする眼科撮影装置。
【請求項２】
前記撮影機器には、前記画像を前記画像制御部へ転送するためのケーブルが接続されるとともに、撮影の際には前記ケーブルを通じてキセノン同期信号が通知されることを特徴とする請求項１に記載の眼科撮影装置。
【請求項３】
前記画像中継部が前記印刷装置又は前記外部記録装置のいずれに接続されているかを検知し、
前記撮影機器による撮影終了したとき、前記印刷装置に接続されている場合には前記画像を自動で印刷させ、前記外部記録装置としてのファイリングシステムに接続されている場合には前記画像を自動で保存させることを特徴とする請求項１又は請求項２に記載の眼科撮影装置。
【請求項４】
前記画像を前記外部記録装置へ転送する際に、
前記画像制御部に転送せずに前記外部記録装置へ転送する直接転送モード、又は、前記画像制御部に転送して前記画像表示部に表示してから前記外部記録装置へ転送する表示転送モードを選択できる記録モード選択手段を備えることを特徴とする請求項１乃至又は請求項３のいずれか一項に記載の眼科撮影装置。
【請求項５】
前記画像を前記印刷装置へ転送する際に、
前記画像制御部に転送して前記画像表示部に表示せずに前記印刷装置によって印刷する非表示印刷モード、又は、前記画像制御部に転送して前記画像表示部に表示してから前記印刷装置によって印刷する表示印刷モードを選択できる印刷モード選択手段を備えることを特徴とする請求項１乃至請求項４のいずれか一項に記載の眼科撮影装置。
【請求項６】
前記画像中継部は、前記印刷装置のコネクタと前記外部記録装置のコネクタとを共通して接続できるインターフェイスを備えることを特徴とする請求項１乃至請求項５のいずれか一項に記載の眼科撮影装置。
【請求項７】
前記撮影機器としてアナログカメラを用いた場合に、前記画像制御部によって、アナログ信号をデジタル信号に変換することを特徴とする請求項１乃至請求項６のいずれか一項に記載の眼科撮影装置。
【発明の詳細な説明】
【技術分野】
【０００１】
本発明は、被検眼を観察する眼科撮影装置に関する。
【背景技術】
【０００２】
従来、眼底カメラなどの眼科撮影装置によって被検眼を撮影する際には、眼科撮影装置の外部に撮影機器を取り付けて撮影している。
【０００３】
このような撮影機器として市販のデジタルカメラ等を用いた場合、撮影した画像を眼科撮影装置とは別に設けたパーソナルコンピュータに転送して表示や保存を行っている。
【０００４】
また、このデジタルカメラ等の撮影機器がリモート端子を備えていない場合には、パーソナルコンピュータの画像ボードや他のインターフェースボードなどを利用して眼科撮影装置に同期信号を転送することによって同期をとることが多い。
【０００５】
このような眼科撮影装置として、例えば特許文献１には、撮影された眼底像を画像ファイルとして記録するデータ記録装置と、眼底像を表示する表示部と、眼底像が表示されているときに画像ファイルのファイル名を入力するキーボートとを備え、表示部に眼底像及びファイル名を並列的に表示する眼科撮影装置が開示されている。
【特許文献１】特開２００２−３０６４２１号公報
【発明の開示】
【発明が解決しようとする課題】
【０００６】
しかしながら、前記した特許文献１では、撮影機器によって撮影された撮影画像を外部のパーソナルコンピュータなどに転送するためのケーブルと撮影の際のキセノン同期をとるためのケーブルとを別々に準備するため、ケーブルの本数が多くなっていた。
【０００７】
このようにケーブルの本数が多くなると、機械の動作が遅くなるうえに、設定が煩雑になるという問題があった。
【０００８】
加えて、従来は、撮影機器によって撮影された画像を眼科撮影装置自体で受信できなかったため、眼科撮影装置に画像を表示することはできなかった。
【０００９】
そこで、本発明は、ケーブルの本数を最小限に抑えるとともに、撮影機器によって撮影された画像を表示できる眼科撮影装置を提供することを目的としている。
【課題を解決するための手段】
【００１０】
前記目的を達成するために、本発明の眼科撮影装置は、被検眼を観察する観察光学系と、前記観察光学系によって観察される前記被検眼の画像を表示する画像表示部とを備え、前記被検眼を撮影する撮影機器が取り付けられる眼科撮影装置であって、眼科撮影装置本体の内部に、前記撮影機器によって撮影された画像を受信して前記画像表示部に表示させる画像制御部としてのボードＰＣと、前記画像制御部から前記画像を受信して一時的に記録する画像中継部とを備え、外部に接続された印刷装置又は外部記録装置を備え、通信の際には、前記眼科撮影装置本体がホスト・デバイスとなり、前記印刷装置又は前記外部記録装置はホストとなって、ユニバーサル・シリアル・バスによって前記画像が送信されることを特徴としている。
【００１１】
また、前記画像中継部が前記印刷装置又は前記外部記録装置のいずれに接続されているかを検知し、前記撮影機器による撮影終了したとき、前記印刷装置に接続されている場合には前記画像を自動で印刷させ、前記外部記録装置としてのファイリングシステムに接続されている場合には前記画像を自動で保存させることが好ましい。
【００１２】
さらに、前記画像を前記外部記録装置へ転送する際に、前記画像制御部に転送せずに前記外部記録装置へ転送する直接転送モード、又は、前記画像制御部に転送して前記画像表示部に表示してから前記外部記録装置へ転送する表示転送モードを選択できる記録モード選択手段を備えることができる。
【００１３】
そして、前記画像を前記印刷装置へ転送する際に、前記画像制御部に転送して前記画像表示部に表示せずに前記印刷装置によって印刷する非表示印刷モード、又は、前記画像制御部に転送して前記画像表示部に表示してから前記印刷装置によって印刷する表示印刷モードを選択できる印刷モード選択手段を備えることができる。
【００１４】
また、前記画像中継部は、前記印刷装置のコネクタと前記外部記録装置のコネクタとを共通して接続できるインターフェイスを備えることが好ましい。
【００１５】
さらに、前記撮影機器には、前記画像を前記画像制御部へ転送するためのケーブルが接続されるとともに、撮影の際には前記ケーブルを通じてキセノン同期信号が通知される構成とすることができる。
【００１６】
そして、前記撮影機器としてアナログカメラを用いた場合に、前記画像制御部によって、アナログ信号をデジタル信号に変換することができる。
【発明の効果】
【００１７】
このように、本発明の眼科撮影装置は、撮影機器によって撮影された画像を受信して画像表示部に表示させる画像制御部と、画像制御部から画像を受信して一時的に記録する画像中継部と、眼科撮影装置の外部に接続された印刷装置又は外部記録装置とを備え、通信の際には、印刷装置又は外部記録装置はホストとなり、画像中継部はデバイスとなって、ユニバーサル・シリアル・バスによって画像が送信される。
【００１８】
このように画像制御部を備えることで、撮影機器によって撮影された画像を眼科撮影装置に設けた表示部に表示することが可能となる。
【００１９】
さらに、通信の際にデバイスとなる画像中継部を備えることで、画像制御部と画像中継部と印刷装置又は外部記録装置とが、ホスト・デバイス・ホストの関係になるため、ユニバーサル・シリアル・バスを用いて画像を転送することができる。
【００２０】
また、画像中継部が印刷装置又は外部記録装置のいずれに接続されているかを検知し、印刷装置に接続されている場合には印刷させ、外部記録装置に接続されている場合には保存させることで、動作を自動化して印刷や記録を効率よく行うことができる。
【００２１】
ここにおいて、上記した接続検知手段はあらかじめ手動で選択しておくものでもあってもよいし、自動で検知するものであってもよい。
【００２２】
さらに、画像制御部に転送せずに外部記録装置へ転送する直接転送モード、又は、画像制御部に転送して画像表示部に表示してから外部記録装置へ転送する表示転送モードを選択できる記録モード選択手段を備えることで、直接転送モードでは転送速度を速くでき、表示転送モードでは画像の良否を確認したうえで外部記録装置へ転送できる。
【００２３】
そして、画像制御部に転送して画像表示部に表示せずに印刷装置によって印刷する非表示印刷モード、又は、画像制御部に転送して画像表示部に表示してから印刷装置によって印刷する表示印刷モードを選択できる印刷モード選択手段を備えることで、非表示印刷モードでは転送速度を速くでき、表示印刷モードでは画像の良否を判断したうえで印刷できる。
【００２４】
また、画像中継部は、印刷装置のコネクタと外部記録装置のコネクタとを共通して接続できるインターフェイスを備えることで、通信の構成を簡略化することができる。
【００２５】
さらに、撮影機器には、画像を画像制御部へ転送するためのケーブルが接続されるとともに、撮影の際にはこのケーブルを通じてキセノン同期信号が通知されることで、ケーブルの本数を抑制することができる。
【００２６】
そして、撮影機器としてアナログカメラを用いた場合に、画像制御部によって、アナログ信号をデジタル信号に変換することで、特別に処理部を設けることなく変換することができる。
【発明を実施するための最良の形態】
【００２７】
以下、本発明の最良の実施の形態について図面を参照して説明する。
【００２８】
まず、図２を用いて眼科撮影装置としての眼底カメラＣの全体構成を説明する。
【００２９】
ここにおいて、本実施の形態の眼底カメラＣは、散瞳型眼底カメラ、又は、無散瞳眼底カメラのいずれであってもよい。
【００３０】
本実施の形態の眼科撮影装置としての眼底カメラＣは、図２に示すように、装置ベース１と、この装置ベース１に対して上下左右前後に移動可能に設置された架台部２と、この架台部２と一体に設けられた装置本体３と、顎受け４と、外部固視標５とを備えており、撮影機器としての撮影用ＣＣＤカメラ６と、テンキーボード７と、ファイリングシステムＳを統括するパーソナルコンピュータ９とが接続されている。
【００３１】
この装置ベース１は、装置テーブル（不図示）の上に設置されるもので、側面に周辺機器との接続のためのインターフェイスとして、プリンタ用端子１０９と、直接出力用端子１１０と、表示出力用端子１１１と、テンキー端子１１２とを備えている。
【００３２】
このプリンタ用端子１０９は、図３の拡大図に示すように、いわゆるＵＳＢ−Ａ端子であり、ユニバーサル・シリアル・バス（以下、ＵＳＢという。）によってプリンタを接続した際に、ＵＳＢ通信プロトコルにおけるホストとなってデバイスとなるプリンタなどの周辺機器に使用権を与えるように構成されている。なお、この周辺機器としては、プリンタの他に、ＵＳＢマウスやＵＳＢメモリなどがある。
【００３３】
加えて、プリンタ用端子１０９は、図１に示すように、眼底カメラＣの内部において中継ＰＣＢ１０８に搭載されて、ボードＰＣ３１６に直接に接続されている。
【００３４】
ここにおいてユニバーサル・シリアル・バス（ＵＳＢ）とは、パーソナルコンピュータ用のシリアル・インターフェイス規格であり、ハブを介してパソコンなどのホストコントローラに最大１２７台の機器をツリー状に接続して同時に使用できるという特徴を備えている。
【００３５】
さらに、ＵＳＢは、電源を投入したまま周辺機器を脱着できるホットプラグや、周辺機器に給電できるバスパワードなどの機能を備えている。
【００３６】
そして、現在主流となっているＵＳＢ２．０規格では、データ転送速度はハイスピードモードで４８０Ｍｂｐｓとなっており、ＲＳ−２３２ＣやＩＥＥＥ１３９４などよりも高速にデータを転送することが可能である。
【００３７】
一方で、ＵＳＢ規格において、通信は非対称に規定されており、ホスト側からの働きかけがなければ通信が始まらないという特徴を備えている。
【００３８】
そして、ＵＳＢケーブルの両端のコネクタや周辺機器のインターフェイスも、ホスト側となるＵＳＢ−Ａ端子とデバイス側となるＵＳＢ−Ｂ端子とで異なる形状を備えている。
【００３９】
また、直接出力用端子１１０や表示出力用端子１１１は、図３の拡大図に示すように、いわゆるＵＳＢ−Ｂ端子であり、ＵＳＢによって外部記録装置としてのパーソナルコンピュータ９や印刷装置としてのプリンタ８などを接続した際に、ＵＳＢ通信プロトコルにおけるデバイスとなって、ホストであるパーソナルコンピュータ９やプリンタ８から使用権を与えられるように構成されている。
【００４０】
さらに、この直接出力用端子１１０は、図１に示すように、眼底カメラＣの内部において中継ＰＣＢ１０８に搭載され、撮影カメラ中継ＰＣＢ３１７を介して、撮影用ＣＣＤカメラ６に接続されている。
【００４１】
そして、表示出力用端子１１１は、図１に示すように、眼底カメラＣの内部において中継ＰＣＢ１０８に搭載され、画像制御部としてのボードＰＣ３１６と撮影カメラ中継ＰＣＢ３１７とを介して、撮影用ＣＣＤカメラ６に接続されている。
【００４２】
さらに、テンキー端子１１２は、テンキーボード７やマウス（不図示）やバーコードリーダ（不図示）などを取り付けるためのいわゆるＰＳ／２端子であり、眼底カメラＣの内部において、図１に示すように、中継ＰＣＢ１０８に搭載されて、ボードＰＣ３１６に接続されている。
【００４３】
また、架台部２は、図２に示すように、検者側の位置に、操作パネル２ａと、ジョイスティック２ｂと、撮影スイッチ２ｃとを備えている。
【００４４】
この操作パネル２ａには、図示しないが、メニュースイッチ、スプリットスイッチ、撮影光量補正スイッチ、観察光量補正スイッチ、顎受け上下動スイッチ、ＩＤ入力スイッチ、画像削除スイッチ、画像再生スイッチ、小瞳孔スイッチ、固視切換えスイッチ、オートＯＮ／ＯＦＦスイッチ、変倍スイッチ等が設けられている。
【００４５】
さらに、装置本体３は、検者側に向いた面に画像表示部としての本体モニタ３ｂを備えている。この画像表示部である本体モニタ３ｂとしては、液晶ディスプレイ（ＬＣＤ）やブラウン管ディスプレイ（ＣＲＴ）などを用いることができる。
【００４６】
そして、撮影機器としての撮影用ＣＣＤカメラ６は、被検眼Ｅｆを撮影するためのもので、静止画像を撮影するデジタルスチルカメラである。なお、この撮影機器としては、受像体としてＣＣＤを用いたＣＣＤカメラの他に、受像体としてＣＭＯＳを用いたデジタルカメラや、アナログカメラなどを用いることができる。
【００４７】
また、この撮影用ＣＣＤカメラ６は、図１に示すように、眼底カメラＣの内部において、撮影カメラ中継ＰＣＢ１０８を介してボードＰＣ３１６に接続されており、ボードＰＣ３１６との相対的な関係ではデバイス側となっている。
【００４８】
さらに、パーソナルコンピュータ９は、画像データや眼圧や視力などの検査データなどを一元的に管理するファイリングシステムＳの中枢となるもので、市販されているパーソナルコンピュータを用いることができる。
【００４９】
次に、眼底カメラＣの装置本体３に内蔵された光学系の構成について、図４に示した光学配置図を用いて説明する。
【００５０】
この装置本体３の内部には、被検眼Ｅの眼底Ｅｆを照明するための照明光学系１０と、眼底Ｅｆを撮影する撮影光学系２０と、眼底Ｅｆを観察する観察光学系３０と、被検眼Ｅに対する装置本体３の相対位置合わせを行うためのアライメント系４０と、眼底Ｅｆに固視標を投影して被検眼Ｅを固視させるための内部固視系５０と、眼底Ｅｆに光学系の焦点合わせを行うためのスプリット光学系６０とが設けられている。
【００５１】
照明光学系１０は、観察時には赤外光により眼底Ｅｆを照明し、撮影時には可視光により眼底Ｅｆを照明する役割を有する。
【００５２】
この照明光学系１０は、対物レンズ１１、穴空きミラー１２、リレーレンズ１３、反射ミラー１４、リレーレンズ１５、被検眼Ｅの瞳孔と共役関係に保たれたリング開口１６ａを有するリング開口板１６と、撮影光源としてのキセノンランプ１７ａと、ＩＲフィルター１８と、コンデンサレンズ１９と、観察照明光源としてのハロゲンランプ１７ｂとを備えている。
【００５３】
さらに、撮影光学系２０は、照明光学系１０によって照明された眼底Ｅｆを静止画像として撮影する役割を有する。
【００５４】
この撮影光学系２０は、対物レンズ１１と、穴空きミラー１２と、合焦レンズ２１と、結像レンズ２２と、反射ミラー２３と、フィールドレンズ２４と、反射ミラー２５と、リレーレンズ２６と、撮影用ＣＣＤカメラ６のＣＣＤ６ａとを備えている。
【００５５】
そして、観察光学系３０は、照明光学系１０により照明された眼底Ｅｆを観察する役割を有し、撮影光学系２０の光路の途中からクイックリターンミラー３３により分岐して構成される。
【００５６】
この観察光学系３０は、反射ミラー３５と、リレーレンズ３６と、観察用ＣＣＤカメラ３７のＣＣＤ３７ａとを備えている。
【００５７】
また、アライメント系４０は、アライメント指標であるアライメント輝点（不図示）を被検眼Ｅに向けて投影するためのものである。
【００５８】
このアライメント系４０は、アライメント光源としてのアライメントＬＥＤ４１と、このアライメントＬＥＤ４１の光を導くライトガイド４２と、ライトガイド４２から射出された光を反射させて２孔絞り４３に導く反射鏡４４と、リレーレンズ４５と、撮影光学系２０からの分岐用ハーフミラー４６と、穴空きミラー１２と、対物レンズ１１とを備えている。
【００５９】
さらに、内部固視系５０は、被検眼Ｅの中心部とその周辺部に誘導させるための固視標を投影する役割を有する。
【００６０】
この内部固視系５０は、内部固視光源としての内部固視ＬＥＤ５１と、マスク板５２と、観察光学系３０の光路の途中から赤外光を透過して可視光を反射するダイクロイックミラー５３とを備えている。
【００６１】
そして、スプリット光学系６０は、スプリット輝線（不図示）の投影光学系であり、スプリット光源としてのスプリットＬＥＤ６１と、照明光学系１０の光路中に設けられ、スプリットＬＥＤ６１からの光を反射する反射棒６２とを備えている。
【００６２】
次に、眼底カメラＣの装置ベース１と架台部２と装置本体３とに内蔵された制御系の構成について、図５に示した電気ブロック図を用いて説明する。
【００６３】
眼底カメラＣの装置ベース１は、図５に示すように、顎受けＰＣＢ１０１と、顎受けＤＣモータ１０２と、外部固視ＬＥＤ１０３と、交流電源供給プラグ１０４と、ヒューズ１０５と、電源供給スイッチ１０６と、電源供給切り換え部１０７と、中継ＰＣＢ１０８と、を備えている。
【００６４】
この中継ＰＣＢ１０８は、ボードＰＣ３１６とプリンタ８やファイリングシステムＳなどの周辺機器との間に介在して、画像データなどを中継するもので、周辺機器とのインターフェイスとして、プリンタ用端子１０９と、直接出力用端子１１０と、表示出力用端子１１１と、テンキー端子１１２とを備えている。
【００６５】
さらに、図１に示すように、中継ＰＣＢ１０８には、ボードＰＣ３１６から画像データなどを受信する処理をおこなうマイクロプロセッサである受信処理部１３１と、周辺機器に画像データなどを送信する処理をおこなうマイクロプロセッサである送信処理部１３３と、画像データなどを一時的に記憶するＲＡＭである一時記憶部１３４と、受信処理部１３１や送信処理部１３３や一時期億部１３４と協働して画像データなどの受信・記憶・送信処理をおこなうマイクロプロセッサである中央処理部１３２とを備えている。
【００６６】
そして、この中継ＰＣＢ１０８は、ボードＰＣ３１６との関係では受信処理部１３１がデバイス側となり、周辺機器との関係では送信処理部１３３がデバイス側となることで、ボードＰＣ３１６と中継ＰＣＢ１０８と周辺機器との関係において、全体として画像データを中継するデバイスとなっている。
【００６７】
また、架台部２には、撮影スイッチ２ｃと、メニュースイッチ２０１と、スプリットスイッチ２０２と、撮影光量補正スイッチ２０３と、観察光量補正スイッチ２０４と、顎受け上下動スイッチ２０５と、ＩＤ入力スイッチ２０６と、小瞳孔スイッチ２０９と、固視切換えスイッチ２１０，２１１，２１２と、オートＯＮ／ＯＦＦスイッチ２１３と、変倍スイッチ２１４と、架台左右検知スイッチ２１６とが配置されたパネルスイッチ２１７と、架台前後検知スイッチ２１５とが設けられている。
【００６８】
さらに、装置本体３には、撮影用ＣＣＤカメラ６と、キセノンランプ１７ａと、ハロゲンランプ１７ｂと、観察ＬＣＤユニット３１と、観察用ＣＣＤカメラ３７と、本体ＰＣＢ３１５と、ボードＰＣ３１６と、撮影カメラ中継ＰＣＢ３１７と、ＤＣ電源ＰＣＢ３１８とが設けられており、ボードＰＣ３１６の拡張スロットには観察用ＣＣＤカメラ３７の画像を取り込むためのキャプチャボード３１９が挿しこまれている。
【００６９】
本体ＰＣＢ３１５は、後述するように、眼科撮影装置１の機械的な制御や入力・出力などを主におこなうものである。そして、本体ＰＣＢ３１５は、図示しないＣＰＵとＲＯＭとＲＡＭとＵＳＢなどを備え、入出力用のポート（Ｉ／Ｏインターフェイス）が設けられている。
【００７０】
また、ボードＰＣ３１６は、後述するように、観察ＬＣＤユニット３１の本体モニタ３ｂに画像を表示する表示処理や、撮影用ＣＣＤカメラ６の画像を取得する取得処理をおこなうためのものである。
【００７１】
このボードＰＣ３１６は、シングルボードコンピュータであり、図示しないＣＰＵとＲＯＭとＲＡＭとＵＳＢなどを備え、入出力用のポート（Ｉ／Ｏインターフェイス）や拡張スロットが設けられている。
【００７２】
そして、このボードＰＣ３１６には、オペレーションシステムとして汎用性の高いＷｉｎｄｏｗｓ（登録商標）が搭載されており、デジタルカメラの製造会社などから提供されるＳＤＫ（Ｓｏｆｔｗｅａｒ  Ｄｅｖｅｌｏｐｍｅｎｔ  Ｋｉｔ）を用いることで、装置本体３が画像データを取得できるように構成されている。
【００７３】
また、撮影カメラ中継ＰＣＢ３１７は、撮影用ＣＣＤカメラ６によって撮影された画像を、ボードＰＣ３１６に転送するか、又は外部記録装置としてのパーソナルコンピュータ９（ファイリングシステムＳ）に転送するかの選択を行うための記録モード選択手段である。
【００７４】
なお、この記録モード選択手段としては、電気的なスイッチを用いるものや、ボードＰＣ３１６で実行されるソフトウェアによるものなどを用いることができる。
【００７５】
そして、この本体ＰＣＢ３１５への情報入力手段として、瞬き検知ＰＣＢ３２０と、グリーンフィルタ検知スイッチ３２１と、視度補正レンズ検知スイッチ３２２と、ランプハウスカバー検知スイッチ３２３と、アライメントモータ検知センサ３２４と、クイックミラーモータ検知センサ３２５と、オートフォーカスモータ(+)検知センサ３２６と、オートフォーカスモータ(-)検知センサ３２７とが設けられている。
【００７６】
さらに、本体ＰＣＢ３１５からの制御指令出力手段として、冷却ファン３２８と、アライメントモータ３３０（アライメントアクチュエータ）と、クイックミラーモータ３３１と、オートフォーカスモータ３３２（オートフォーカスアクチュエータ）と、水晶体絞り駆動ソレノイド３３３と、前眼部切換え駆動ソレノイド３３４と、反射棒駆動ソレノイド３３５と、手元照明ＬＥＤ３３６と、アライメントＬＥＤ４１と、内部固視ＬＥＤ５１と、スプリットＬＥＤ６１とが設けられている。
【００７７】
そして、本体ＰＣＢ３１５とボードＰＣ３１６はＲＳ−２３２Ｃによって双方向にデータ交換され、ボードＰＣ３１６と撮影カメラ中継ＰＣＢ３１７、ボードＰＣ３１６と中継ＰＣＢ１０８、それぞれ双方向通信によりデータ交換される。
【００７８】
そして、本実施の形態の本体ＰＣＢ３１５は、下記の機能を担う。
(１)センサ検知
瞬き／グリーンフィルタ／視度補正レンズ／ランプハウスカバー／アライメント・クイックミラー／オートフォーカスモータの検知を行う。
(２)モータ駆動
アライメント／クイックミラー／オートフォーカスモータの駆動制御を行う。
(３)ソレノイド駆動
水晶体絞り／前眼部切換え／反射棒ソレノイドの駆動制御を行う。
(４)ＬＥＤ点灯
スプリット／アライメント／手元照明／内部固視の点灯・点滅を制御する。
(５)スイッチ信号の読み込み
架台部２からの各種スイッチ信号の読み込みを行う。
【００７９】
さらに、本実施の形態の画像制御部としてのボードＰＣ３１６（シングルボードコンピュータ）は、下記の機能を担う。
(１)ダイレクトプリント機能
撮影用ＣＣＤカメラ６で撮影した画像をプリンタ８へ直接転送する機能をいう。撮影用ＣＣＤカメラ６の本体にもＰｉｃｔＢｒｉｄｇｅ（登録商標）機能は実装されているが、印刷する際に撮影用ＣＣＤカメラ６の本体を操作する必要があり、操作性が悪い。そこで、一連の撮影動作の内部にプリントアウト機能を含めることにより操作を簡略化する。この機能については後述する。
(２)オートフォーカス機能
観察用ＣＣＤカメラ３７のＣＣＤ３７ａから得られる観察映像信号上のスプリット輝線の状態を解析し、オートフォーカスを実現する機能をいう。映像信号の解析をボードコンピュータにおいて実行することにより、専用ＰＣ板を使用することなくオートフォーカスを実行できる。
(３)オートシュート機能（＝自動フラッシュ撮影動作機能）
観察用ＣＣＤカメラ３７のＣＣＤ３７ａから得られる観察映像信号上のアライメント輝点とスプリット輝線の状態を解析し、自動フラッシュ撮影動作を実現する機能をいう。上記オートフォーカスと同様に、映像信号の解析をボードコンピュータにおいて実行することにより、専用ＰＣ板を使用することなくオートシュートを実行できる。
(４)オート小瞳孔切換え機能
観察用ＣＣＤカメラ３７のＣＣＤ３７ａから得られる観察映像信号上のスプリット輝線の状態を解析し、小瞳孔の場合、自動的に絞りを挿入する機能をいう。上記オートフォーカスと同様に、映像信号の解析をボードコンピュータにおいて実行することにより、専用ＰＣ板を使用することなくオート小瞳孔切換えを実行できる。
(５)モニタ表示機能
観察像及び撮影像を画像表示部としての本体モニタ３ｂに表示する。
【００８０】
次に、本実施の形態の眼科撮影装置としての眼底カメラＣを用いて、ファイリングシステムＳに画像を直接に転送する直接転送モードにおける画像の流れについて、図６を用いて説明する。
【００８１】
まず、あらかじめ撮影機器である撮影用ＣＣＤカメラ６を眼科撮影装置である眼底カメラＣに取り付けるとともに、撮影用ＣＣＤカメラ６のＵＳＢ−Ｂ端子（不図示）と撮影カメラ中継ＰＣＢ３１７のＵＳＢ−Ａ端子（不図示）とを接続する。
【００８２】
さらに、ファイリングシステムＳをＵＳＢケーブル１２３によって中継ＰＣＢ１０８に設けた表示出力用端子１１１に接続することで、ボードＰＣ３１６は中継ＰＣＢ１０８を介してファイリングシステムＳが接続されたことを認識する。
【００８３】
加えて、眼底カメラＣのイニシャルメニューのシステム設定を、直接転送モードに設定することで、撮影カメラ中継ＰＣＢ３１７の切り替えスイッチをファイリングシステムＳ側に切り替えておく。
【００８４】
次に、ジョイスティック２ｂを操作して装置ベース１に対する装置本体３の位置を移動させてアライメント輝点を合致させ、手動又は自動によってスプリット輝線を合致させる。
【００８５】
そして、スプリット輝線の合致とアライメント輝点の合致を確認し、ジョイスティック２ｂの上端部に設けられた撮影スイッチ２ｃを押すと、キセノンランプ１７ａが発光されるとともに、画像データが撮影用ＣＣＤカメラ６の内部に一時的に保存される。なお、この撮影時のキセノン同期信号は、画像データ用のＵＳＢケーブル１２１とは別に設けたリモートケーブル（不図示）を通じておこなわれる。
【００８６】
撮影が完了すると、撮影用ＣＣＤカメラ６は、眼底カメラＣのボードＰＣ３１６に対して画像が作成されたことのイベント通知をおこなう。
【００８７】
イベント通知を受けたボードＰＣ３１６は、ファイリングシステムＳにイベント通知を転送する。
【００８８】
イベント通知を受けたファイリングシステムＳは、撮影用ＣＣＤカメラ６に画像取得要求を通知して、ＵＳＢケーブル１２１と撮影カメラ中継ＰＣＢ３１７とＵＳＢケーブル１２２とを介して画像データを取得する。この場合、画像データは、ファイリングシステムＳをホスト側とし、撮影用ＣＣＤカメラ６をデバイス側として転送される。
【００８９】
これと略同時に、画角、左右眼などのデータは、ＵＳＢケーブル１２３を通じてファイリングシステムＳに転送される。
【００９０】
なお、この直接転送モードでは、撮影された眼底のレビュー像は、画像表示部としての本体モニタ３ｂ上には表示されない。
【００９１】
次に、本実施の形態の眼科撮影装置としての眼底カメラＣを用いて、装置本体３の画像表示部としての本体モニタ３ｂに画像を表示してから、ファイリングシステムＳに画像を転送する表示転送モードにおける画像の流れについて、図７を用いて説明する。
【００９２】
まず、上記した直接転送モードと同様に、撮影用ＣＣＤカメラ６を眼底カメラＣに取り付けるとともに、システム設定を表示転送モードに設定することで、撮影カメラ中継ＰＣＢ３１７の切り替えスイッチをボードＰＣ３１６側に切り替える。さらに、ファイリングシステムＳを中継ＰＣＢ１０８に設けた表示出力用端子１１１に接続する。
【００９３】
そして、スプリット輝線の合致とアライメント輝点の合致を確認し、撮影スイッチ２ｃを押すと、画像データが撮影用ＣＣＤカメラ６の内部に一時的に保存される。なお、この撮影時のキセノン同期信号は、画像データ用のＵＳＢケーブル１２１を通じておこなわれる。
【００９４】
撮影が完了すると、撮影用ＣＣＤカメラ６は、眼底カメラＣのボードＰＣ３１６に対して画像が作成されたことのイベント通知をおこなう。
【００９５】
イベント通知を受けたボードＰＣ３１６は、撮影用ＣＣＤカメラ６に画像取得要求を通知して、ＵＳＢケーブル１２１と撮影カメラ中継ＰＣＢ３１７とを介して画像データを取得する。
【００９６】
つづいて、画像データを取得したボードＰＣ３１６は、画像表示部としての本体モニタ３ｂを備える観察ＬＣＤユニット３１に画像データを転送して本体モニタ３ｂに表示させる。
【００９７】
検者は、本体モニタ３ｂに表示された画像を見て画像の良否を判断し、画像データを記録する場合には２回目の撮影スイッチ２ｃを押し、画像データを削除する場合には画像削除スイッチを押して画像を削除する。
【００９８】
そして、２回目の撮影スイッチ２ｃが押された場合、画像データを取得したボードＰＣ３１６は、中継ＰＣＢ１０８の受信処理部１３１に画像を転送する。この場合、画像データは、ボードＰＣ３１６をホスト側とし、受信処理部１３１をデバイス側として転送される。
【００９９】
つづいて、画像データを取得した受信処理部１３１は、一時記憶部１３４に画像データを一時的に記憶させる。
【０１００】
そうすると、ファイリングシステムＳは、送信処理部１３３を介して一時記憶部１３４に画像データが存在することを認識し、一時記憶部１３４に記憶された画像データを取得する。この場合、画像データは、ファイリングシステムＳをホスト側とし、送信処理部１３３をデバイス側として転送される。
【０１０１】
このように、中継ＰＣＢ１０８は、撮影用ＣＣＤカメラ６によって撮影された画像データをファイリングシステムＳに転送する際に、ボードＰＣ３１６に対してデバイス側となる受信処理部１３１とファイリングシステムＳに対してデバイス側となる送信処理部１３３とを備えることで、全体として画像データを中継するデバイスとして機能する。
【０１０２】
これと略同時に、画角、左右眼などのデータも、ＵＳＢケーブル１２３を通じてファイリングシステムＳに転送される。
【０１０３】
この他の画像データの流れは前記した直接転送モードと略同様であるから説明は省略する。
【０１０４】
次に、本実施の形態の眼科撮影装置としての眼底カメラＣの作用について説明する。
【０１０５】
このように、本実施の形態の眼科撮影装置としての眼底カメラＣは、撮影機器としての撮影用ＣＣＤカメラ６によって撮影された画像データを受信して画像表示部としての本体モニタ３ｂに表示させる画像制御部であるボードＰＣ３１６と、ボードＰＣ３１６から画像データを受信して一時的に記録する画像中継部としての中継ＰＣＢ１０８とを備えている。
【０１０６】
そして、眼底カメラＣの外部には、外部記録装置としてのファイリングシステムＳが接続されて、通信の際にホストとなるファイリングシステムＳは、デバイスとなる中継ＰＣＢ１０８から、ＵＳＢによって画像データを取り込むことを特徴としている。
【０１０７】
このようにボードＰＣ３１６を備えることで、撮影用ＣＣＤカメラ６によって撮影された画像データを眼底カメラＣに設けた本体モニタ３ｂに表示することが可能となる。
【０１０８】
したがって、検者は、印刷や記録より前の段階において、本体モニタ３ｂに表示された撮影画像を見て撮影画像の良否を判断できるため、不要な印刷や記録をなくして効率よく作業できる。
【０１０９】
さらに、通信の際にデバイスとなる中継ＰＣＢ１０８を備えることで、ボードＰＣ３１６と中継ＰＣＢ１０８とファイリングシステムＳとが、ホスト・デバイス・ホストの関係になるため、ＵＳＢを用いて画像データを転送することができる。
【０１１０】
つまり、ＵＳＢ規格においては、データ転送などの通信の際に、ホストとデバイスとは明確に区別され、ホスト側からデバイス側へ働きかけがなければ通信が始まらないが、周辺機器がホストの役割をし、中継ＰＣＢ１０８がデバイスの役割をすることで、画像データなどをＵＳＢによって転送できるようになる。
【０１１１】
すなわち、中継ＰＣＢ１０８を有しない場合には、ボードＰＣ３１６と周辺機器とがホスト・ホストの関係になってしまうが、中継ＰＣＢ１０８を有する場合には、ホスト・デバイス・ホストの関係を構築できる。
【０１１２】
そして、このＵＳＢは、周辺機器を接続するための規格として最も汎用性の高い規格であるから、この眼底カメラＣを含むファイリングシステムＳ全体の汎用性を高めることができる。
【０１１３】
また、中継ＰＣＢ１０８は、ファイリングシステムＳに接続されていることを検知し、画像データをファイリングシステムＳに転送して保存させることで、動作を自動化して記録を効率よく行うことができる。
【０１１４】
このように動作を自動化することで、検者は撮影時には撮影スイッチ２ｃを操作するだけで画像データが転送・保存されるため、記録することを忘れたり、誤って記録したりすることを防止できる。
【０１１５】
さらに、ボードＰＣ３１６に画像データを転送せずにファイリングシステムＳへ転送する直接転送モード、又は、ボードＰＣ３１６に転送して本体モニタ３ｂに表示してからファイリングシステムＳへ転送する表示転送モードを選択できる記録モード選択手段としての撮影カメラ中継ＰＣＢ３１７を備えることで、直接転送モードでは転送速度を速くでき、表示転送モードでは画像の良否を判断したうえでファイリングシステムＳへ転送できる。
【０１１６】
つまり、一般に、本実施の形態のボードＰＣ３１６などのシングルボードコンピュータによって情報量の多い画像データを処理させると、処理性能が不足して表示に時間がかかることがある。
【０１１７】
そこで、時間をかけないように、本体モニタ３ｂに表示させない場合には、画像データをボードＰＣ３１６を経由させずにファイリングシステムＳに直接に転送することで、転送スピードを速くすることができる。
【０１１８】
一方、本体モニタ３ｂに表示させてからファイリングシステムＳに転送する場合には、検者は本体モニタ３ｂを見て画像の良否を判断したうえで、画像を記録したり削除したりできる。
【０１１９】
さらに、撮影用ＣＣＤカメラ６には、画像データをボードＰＣ３１６へ転送するためのＵＳＢケーブル１２１が接続されるとともに、撮影の際にはこのＵＳＢケーブル１２１を通じてキセノン同期信号が通知されることで、ケーブルの本数を抑制することができる。
【０１２０】
つまり、従来は、キセノン同期信号は、データ転送用のケーブルとは別に設けたリモートケーブルを用いておこなわれていたが、リモートケーブルを用いる必要がなくなって、データ転送用のケーブルのみを用いてキセノン同期信号を通知できる。
【実施例１】
【０１２１】
以下、図８を用いて、前記実施の形態で説明した直接転送モード及び表示転送モードとは別の転送モードである表示印刷モード及び非表示印刷モードについて説明する。なお、前記実施の形態で説明した内容と同一乃至均等な部分の説明については同一符号を付して説明する。
【０１２２】
まず、構成から説明すると、本実施例では、図８に示すように、表示出力用端子１１１に、ファイリングシステムＳではなく印刷装置としてのプリンタ８が接続されている。
【０１２３】
次に、表示印刷モードと非表示印刷モードについて説明する。
【０１２４】
この表示印刷モードと非表示印刷モードとを選択できる印刷モード選択手段は、撮影カメラ中継ＰＣＢ３１７とボードＰＣ３１６と中継ＰＣＢ１０８とによって達成される。
【０１２５】
まず、表示印刷モードについて説明する。
【０１２６】
表示印刷モードでは、プリンタ８をＵＳＢケーブル１２３によって中継ＰＣＢ１０８に接続することで、ボードＰＣ３１６は中継ＰＣＢ１０８を介してプリンタ８が接続されたことを認識する。
【０１２７】
さらに、眼底カメラＣのイニシャルメニューのシステム設定を、表示印刷モードに設定することで、撮影カメラ中継ＰＣＢ３１７の切り替えスイッチをボードＰＣ３１６側に切り替えておく。
【０１２８】
そして、撮影後、画像データを取得したボードＰＣ３１６は、画像表示部としての本体モニタ３ｂを備える観察ＬＣＤユニット３１に画像データを転送して本体モニタ３ｂに表示させる。
【０１２９】
検者は、本体モニタ３ｂに表示された画像を見て画像の良否を判断し、画像データを印刷する場合には２回目の撮影スイッチ２ｃを押し、画像データを削除する場合には画像削除スイッチを押して画像を削除する。
【０１３０】
そして、２回目の撮影スイッチ２ｃが押された場合、画像データを取得したボードＰＣ３１６は、中継ＰＣＢ１０８の受信処理部１３１に画像を転送する。この場合、画像データは、ボードＰＣ３１６をホスト側とし、受信処理部１３１をデバイス側として転送される。
【０１３１】
つづいて、画像データを取得した受信処理部１３１は、一時記憶部１３４に画像データを一時的に記憶させる。
【０１３２】
そうすると、プリンタ８は、プリンタ８自体が備えているＰｉｃｔＢｒｉｄｇｅ（登録商標）機能によって、送信処理部１３３を介して一時記憶部１３４に画像データが存在することを認識し、一時記憶部１３４に記憶された画像データを取得して印刷する。この場合、画像データは、プリンタ８をホスト側とし、送信処理部１３３をデバイス側として転送される。
【０１３３】
このように、中継ＰＣＢ１０８は、撮影用ＣＣＤカメラ６によって撮影された画像データをプリンタ８に転送する際に、ボードＰＣ３１６に対してデバイス側となる受信処理部１３１とプリンタ８に対してデバイス側となる送信処理部１３３とを備えることで、全体として画像データを中継するデバイスとして機能する。
【０１３４】
この他の画像データの流れは前記した表示転送モードと略同様であるから説明は省略する。
【０１３５】
次に、非表示印刷モードについて説明する。
【０１３６】
まず、非表示印刷モードでは、表示印刷モードと同様に、プリンタ８をＵＳＢケーブル１２３によって中継ＰＣＢ１０８に接続することで、ボードＰＣ３１６は中継ＰＣＢ１０８を介してプリンタ８が接続されたことを認識する。
【０１３７】
さらに、眼底カメラＣのイニシャルメニューのシステム設定を、非表示印刷モードに設定することで、撮影カメラ中継ＰＣＢ３１７の切り替えスイッチをボードＰＣ３１６側に切り替えておく。
【０１３８】
そして、撮影後、画像データを取得したボードＰＣ３１６は、画像データを本体モニタ３ｂに表示させない。
【０１３９】
また、画像データを取得したボードＰＣ３１６は、撮影スイッチ２ｃが押されなくても、自動的に中継ＰＣＢ１０８の受信処理部１３１に画像データを転送する。この場合、画像データは、ボードＰＣ３１６をホスト側とし、受信処理部１３１をデバイス側として転送される。
【０１４０】
この他の画像データの流れは前記した表示転送モードと略同様であるから説明は省略する。
【０１４１】
次に、本実施例の眼科撮影装置としての眼底カメラＣの作用について説明する。
【０１４２】
このように、眼底カメラＣの外部には、印刷装置としてのプリンタ８が接続されて、通信の際にホストとなるプリンタ８は、デバイスとなる中継ＰＣＢ１０８から、ＵＳＢによって画像データを取り込むことを特徴としている。
【０１４３】
したがって、通信の際にデバイスとなる中継ＰＣＢ１０８を備えることで、ボードＰＣ３１６と中継ＰＣＢ１０８とプリンタ８とが、ホスト・デバイス・ホストの関係になるため、ＵＳＢを用いて画像を転送することができる。
【０１４４】
そして、このＵＳＢは、周辺機器を接続するための規格として最も汎用性の高い規格であるから、この眼底カメラＣを含むファイリングシステムＳ全体の汎用性を高めることができる。
【０１４５】
また、中継ＰＣＢ１０８は、印刷装置としてのプリンタ８に接続されていることを検知するとともに、プリンタ８に画像データを転送して印刷させることで、動作を自動化して記録を効率よく行うことができる。
【０１４６】
このように動作を自動化することで、検者は撮影時には撮影スイッチ２ｃを操作するだけで画像データが印刷されるため、印刷することを忘れたり、誤って印刷したりすることを防止できる。
【０１４７】
そして、ボードＰＣ３１６に転送して本体モニタ３ｂに表示せずにプリンタ８によって印刷する非表示印刷モード、又は、ボードＰＣ３１６に転送して本体モニタ３ｂに表示してからプリンタ８によって印刷する表示印刷モードを選択できる印刷モード選択手段を備えることで、非表示印刷モードでは転送速度を速くでき、表示印刷モードでは画像の良否を確認したうえで印刷できる。
【０１４８】
また、中継ＰＣＢ１０８は、プリンタ８のコネクタとファイリングシステムＳに連繋されるパーソナルコンピュータ９のコネクタとの両方を共通して接続できるインターフェイスであるＵＳＢ−Ｂ端子を備えることで、通信の構成を簡略化することができる。
【０１４９】
なお、この他の構成および作用効果については、前記実施の形態と略同様であるため説明を省略する。
【実施例２】
【０１５０】
以下、図９を用いて、撮影機器としてアナログカメラ６Ｂを用いた場合の処理について説明する。なお、前記実施の形態で説明した内容と同一乃至均等な部分の説明については同一符号を付して説明する。
【０１５１】
まず、構成から説明すると、本実施例では、眼科撮影装置としての眼底カメラＣに撮影機器としてアナログカメラ６Ｂが取り付けられている。
【０１５２】
そして、このアナログカメラ６Ｂは、撮影カメラ中継ＰＣＢ３１７を介してボードＰＣ３１６の拡張スロットに挿しこまれたキャプチャボード３１９に接続されている。
【０１５３】
次に、作用について説明すると、このように撮影機器としてアナログカメラ６Ｂを用いた場合に、画像制御部としてのボードＰＣ３１６によって、アナログ信号をデジタル信号に変換することで、特別に処理部を設けることなく変換することができる。
【０１５４】
つまり、ボードＰＣ３１６は、観察用ＣＣＤカメラ３７の画像を処理するためにキャプチャボード３１９を備えており、撮影機器としてアナログカメラ６Ｂを用いた場合に、このキャプチャボード３１９によってデジタル変換することでキャプチャボード３１９を有効利用できる。
【０１５５】
このように、キャプチャボード３１９によってアナログの画像データをデジタルの画像データに変換することによって、プリンタ８で印刷したり、ファイリングシステムＳにデータを保存したりできるようになる。
【０１５６】
なお、この他の構成および作用効果については、前記実施の形態及び実施例１と略同様であるため説明を省略する。
【０１５７】
以上、図面を参照して、本発明の最良の実施の形態及び実施例１，２を詳述してきたが、具体的な構成は、この実施の形態又は実施例１，２に限らず、本発明の要旨を逸脱しない程度の設計的変更は、本発明に含まれる。
【０１５８】
例えば、前記実施の形態及び実施例１，２では、眼科撮影装置としての眼底カメラＣは、中継ＰＣＢ１０８がファイリングシステムＳ又はプリンタ８のいずれに接続されているかを自動的に検知する場合について説明したが、これに限定されるものではなく、入力手段によって選択するものであってもよい。
【０１５９】
また、前記実施の形態では、撮影時のキセノン同期信号が、画像データを送信するためのＵＳＢケーブル１２１とは別に設けたリモートケーブルを通じておこなわれる場合について説明したが、これに限定されるものではなく、記録モード選択手段がソフトによって実行される場合には、ＵＳＢケーブル１２１を通じてキセノン同期信号を通知してもよい。
【０１６０】
さらに、前記実施の形態及び実施例１，２では、プリンタ８とファイリングシステムＳとを共通して接続できるインターフェイスとしての表示出力用端子１１１を備える場合について説明したが、これに限定されるものではなく、別々のインターフェイスを備えるものであってもよい。
【０１６１】
また、前記実施例２では、アナログカメラ６Ｂによって撮影された画像データを、ボードＰＣ３１６に挿設されたキャプチャボード３１９によってデジタル変換する場合について説明したが、これに限定されるものではなく、ボードＰＣ３１６が備える処理部によってデジタル変換するものであってもよい。
【図面の簡単な説明】
【０１６２】
【図１】本発明の最良の実施の形態の眼科撮影装置における画像の流れを説明するブロック図である。
【図２】本発明の最良の実施の形態の眼科撮影装置の全体構成を説明する全体システム図である。
【図３】本発明の最良の実施の形態の眼科撮影装置が備えるインターフェイスの構成を拡大して説明する側面図である。
【図４】眼科撮影装置が備える光学系の構成を説明する光学配置図である。
【図５】本発明の最良の実施の形態の眼科撮影装置の制御系を説明する電気ブロック図である。
【図６】本発明の最良の実施の形態の眼科撮影装置における直接転送モードの画像の流れを説明するブロック図である。
【図７】本発明の最良の実施の形態の眼科撮影装置における表示転送モードの画像の流れを説明するブロック図である。
【図８】実施例１の眼科撮影装置における印刷モードの画像の流れを説明するブロック図である。
【図９】実施例２の眼科撮影装置における印刷モードの画像の流れを説明するブロック図である。
【符号の説明】
【０１６３】
Ｃ          眼底カメラ（眼科撮影装置）
Ｓ          ファイリングシステム（外部記録装置）
６          撮影用ＣＣＤカメラ（撮影機器）
６Ｂ        アナログカメラ（撮影機器）
８          プリンタ（印刷装置）
９          パーソナルコンピュータ（外部記録装置）
３０        観察光学系
３１        観察ＬＣＤユニット
３ｂ        本体モニタ（画像表示部）
１０８      中継ＰＣＢ（画像中継部）
１１０      直接出力用端子
１１１      表示出力用端子（インターフェイス）
１２１，１２２，１２３  ＵＳＢケーブル（ケーブル）
１３１      受信処理部
１３２      中央処理部
１３３      送信処理部
１３４      一時記憶部
３１５      本体ＰＣＢ
３１６      ボードＰＣ（画像制御部）
３１７      撮影カメラ中継ＰＣＢ（記録モード選択手段）
３１９      キャプチャボード
【図１】
0005097565.tif 000002
【図２】
0005097565.tif 000003
【図３】
0005097565.tif 000004
【図４】
0005097565.tif 000005
【図５】
0005097565.tif 000006
【図６】
0005097565.tif 000007
【図７】
0005097565.tif 000008
【図８】
0005097565.tif 000009
【図９】
0005097565.tif 000010